(57)【要約】【課題】表示画像の画質を向上させる。【解決手段】入力手段により入力された現フレームと、現フレームより少なくとも１フレーム前である前フレームとの映像信号レベルの差が大きくなるように現フレームの映像信号レベルを補正する加速駆動を行うか、現フレームと前フレームとの映像信号レベルの差が小さくなるように現フレームの映像信号レベルを補正する減速駆動を行うかの判定を、現フレームの映像信号レベルと前フレームの映像信号レベルとに基づいて行う判定手段と、入力手段により入力された現フレームの映像信号レベルと入力手段により入力された前フレームの映像信号レベルとに応じて定まる基準オーバードライブ補正量の調整量を、判定手段による判定の結果に基づいて変更する変更手段と、を有する。【選択図】図６
2017062416.tif 000002
【特許請求の範囲】
【請求項１】
映像信号を入力する入力手段と、
前記入力手段により入力された現フレームと、前記現フレームより少なくとも１フレーム前である前フレームとの映像信号レベルの差が大きくなるように前記現フレームの映像信号レベルを補正する加速駆動を行うか、前記現フレームと前記前フレームとの映像信号レベルの差が小さくなるように前記現フレームの映像信号レベルを補正する減速駆動を行うかの判定を、前記現フレームの映像信号レベルと前記前フレームの映像信号レベルとに基づいて行う判定手段と、
前記入力手段により入力された現フレームの映像信号レベルと前記入力手段により入力された前フレームの映像信号レベルとに応じて定まる基準オーバードライブ補正量の調整量を、前記判定手段による前記判定の結果に基づいて変更する変更手段と、
を有する映像表示装置。
【請求項２】
前記変更手段は、前記判定手段により加速駆動であると判定された場合、前記基準オーバードライブ補正量が増加するよう前記調整量を変更し、前記判定手段により減速駆動であると判定された場合、前記基準オーバードライブ補正量が減少するよう前記調整量を変更する請求項１記載の映像表示装置。
【請求項３】
前記現フレームの映像信号レベルと、前記前フレームの映像信号レベルと、に基づいて、前記現フレームの映像信号レベルに対する補正量を決定する第１の決定手段を更に有し、
前記判定手段は、前記第１の決定手段により決定された前記補正量に基づいて、加速駆動か減速駆動かの判定を行う請求項１又は２記載の映像表示装置。
【請求項４】
前記第１の決定手段により決定された補正量と、補正量と判定フラグとが対応付けられたテーブルと、に基づいて、前記第１の決定手段により決定された補正量に対応する判定フラグを決定する第２の決定手段を更に有し、
前記判定手段は、前記第２の決定手段により決定された前記判定フラグに基づいて、加速駆動か減速駆動かの判定を行う請求項３記載の映像表示装置。
【請求項５】
前記現フレームの映像信号レベルと、前記前フレームの映像信号レベルと、の差分値を取得する取得手段を更に有し、
前記判定手段は、前記第１の決定手段により決定された前記補正量の符号と、前記取得手段により取得された前記差分値の符号と、に基づいて、加速駆動か減速駆動かの判定を行う請求項３記載の映像表示装置。
【請求項６】
前記判定手段は、前記第１の決定手段により決定された前記補正量の符号と、前記取得手段により取得された前記差分値の符号と、に基づいて、映像表示デバイスの応答遷移が立ち上がりか立ち下がりかを更に判定し、
前記変更手段は、前記判定手段による加速駆動か減速駆動かの判定と、映像表示デバイスの応答遷移が立ち上がりか立ち下がりかの判定と、の判定結果に基づいて、前記オーバードライブ補正量の調整量を変更する請求項５記載の映像表示装置。
【請求項７】
前記変更手段は、更に、映像表示デバイスの温度情報に基づいて、前記調整量を変更する請求項１乃至６何れか１項記載の映像表示装置。
【請求項８】
前記基準オーバードライブ補正量は、基準温度で決定されたオーバードライブ補正量である請求項１乃至７何れか１項記載の映像表示装置。
【請求項９】
映像表示装置が実行する情報処理方法であって、
映像信号を入力する入力ステップと、
前記入力ステップにより入力された現フレームと、前記現フレームより少なくとも１フレーム前である前フレームとの映像信号レベルの差が大きくなるように前記現フレームの映像信号レベルを補正する加速駆動を行うか、前記現フレームと前記前フレームとの映像信号レベルの差が小さくなるように前記現フレームの映像信号レベルを補正する減速駆動を行うかの判定を、前記現フレームの映像信号レベルと前記前フレームの映像信号レベルとに基づいて行う判定ステップと、
前記入力ステップにより入力された現フレームの映像信号レベルと前記入力ステップにより入力された前フレームの映像信号レベルとに応じて定まる基準オーバードライブ補正量の調整量を、前記判定ステップによる前記判定の結果に基づいて変更する変更ステップと、
を含む情報処理方法。
【請求項１０】
コンピュータを、請求項１乃至８何れか１項記載の映像表示装置の各手段として機能させるためのプログラム。
【発明の詳細な説明】
【技術分野】
【０００１】
本発明は、映像表示装置、情報処理方法及びプログラムに関する。
【背景技術】
【０００２】
近年、様々な映像表示デバイスを備えた映像表示装置が幅広く使用されている。特に、液晶表示パネルを用いた液晶表示装置は、ＴＶやＰＣの表示装置として、幅広く普及している。液晶表示パネルは、映像信号レベルに応じた駆動電圧を液晶表示パネルに印加することによって光の透過率を調節し、所望の映像を表示することができる。
液晶表示パネルは、印加する駆動電圧の変化に対して液晶応答速度が十分に早くないため、例えば動画像を表示した場合に残像が発生するという課題を有している。また、液晶応答速度は温度依存性が大きい。そこで、液晶応答速度を改善するための駆動方法として、所謂オーバードライブ補正処理が提案されている。
特許文献１では、現フレームの入力画像データと１フレーム前の入力画像データとからルックアップテーブルを参照して得られるオーバードライブ補正量を、現フレームの入力画像データに加算することで液晶表示パネルを加速駆動する技術が開示されている。この技術によれば、液晶表示装置の温度に基づいてオーバードライブ補正量を増減することで、ルックアップテーブルの増加によるコスト増を抑制しながら、温度毎に液晶応答速度を適した状態に制御し、表示画像の画質を向上させることができる。
一方、ＲＧＢ色毎に応答速度が異なると、本来の混色とは異なる色相が生じる場合がある。特許文献２では、１フルピクセルを構成する各サブピクセルに対して各サブピクセルの実効輝度を揃える方向に加速、又は減速駆動するよう制御する技術が開示されている。
【先行技術文献】
【特許文献】
【０００３】
【特許文献１】特開２００３−２０７７６１号公報
【特許文献２】特開２００３−２９７１３号公報
【発明の概要】
【発明が解決しようとする課題】
【０００４】
減速駆動を含むオーバードライブ補正処理において、液晶応答速度の温度依存性を軽減するために、液晶表示パネルの温度に応じてオーバードライブ補正量を増減する場合、加速駆動と減速駆動とで増減方向が異なる。一方、従来技術では、加速駆動か減速駆動かを判定する構成が無いため、逆方向に増減される可能性があり画質劣化が生じる課題があった。
本発明は、表示画像の画質を向上させることを目的とする。
【課題を解決するための手段】
【０００５】
そこで、本発明の映像表示装置は、映像信号を入力する入力手段と、入力手段により入力された現フレームと、現フレームより少なくとも１フレーム前である前フレームとの映像信号レベルの差が大きくなるように現フレームの映像信号レベルを補正する加速駆動を行うか、現フレームと前フレームとの映像信号レベルの差が小さくなるように現フレームの映像信号レベルを補正する減速駆動を行うかの判定を、現フレームの映像信号レベルと前フレームの映像信号レベルとに基づいて行う判定手段と、入力手段により入力された現フレームの映像信号レベルと入力手段により入力された前フレームの映像信号レベルとに応じて定まる基準オーバードライブ補正量の調整量を、判定手段による判定の結果に基づいて変更する変更手段と、を有する。
【発明の効果】
【０００６】
本発明によれば、表示画像の画質を向上させることができる。
【図面の簡単な説明】
【０００７】
【図１】映像表示装置のハードウェア構成の一例を示す図である。
【図２】実施形態１の映像表示装置の機能構成等の一例を図である。
【図３】第一補正量算出部におけるＬＵＴの一例を示す図である。
【図４】実施形態１における第二補正量算出部の一例を示す図である。
【図５】映像信号レベルと液晶応答遷移とを模式的に示した図である。
【図６】実施形態１における情報処理の一部を示したフローチャートである。
【図７】実施形態２の映像表示装置の機能構成等の一例を示す図である。
【図８】実施形態２における第二補正量算出部の一例を示す図である。
【図９】実施形態２における情報処理の一例を示したフローチャートである。
【図１０】実施形態３における第二補正量算出部の一例を示す図である。
【図１１】実施形態３における情報処理の一例を示したフローチャートである。
【発明を実施するための形態】
【０００８】
以下、本発明の実施形態について図面に基づいて説明する。
【０００９】
＜実施形態１＞
以下、実施形態１を図面に基づいて説明する。
図１は、映像表示装置１０のハードウェア構成の一例を示す図である。図１に示されるように、映像表示装置１０は、ハードウェア構成として、ＣＰＵ１１、メモリ１２、液晶駆動部１３、液晶表示パネル１４を含む。ＣＰＵ１１は、映像表示装置１０の全体を制御する。メモリ１２は、映像表示装置１０に表示する表示画像やプログラム、ＣＰＵ１１がプログラムに基づき処理を実行する際に使用されるデータ（例えば、後述するルックアップテーブル（ＬＵＴ））を記憶する。ＣＰＵ１１が、メモリ１２に記憶されているプログラムに基づき処理を実行することにより、後述する映像表示装置１０の機能構成や後述するフローチャートの処理等が実現される。液晶駆動部１３は、ＣＰＵ１１の制御のもと、液晶表示パネル１４を駆動する。液晶表示パネル１４は、表示画像等を表示する。
【００１０】
図２は、実施形態１の映像表示装置１０の機能構成等の一例を図である。図２に示されるように、映像表示装置１０は、ソフトウェア構成として、第一補正量算出部１０１、第二補正量算出部１０２、フレームメモリ部１０３、加算部１０４を含む。
加算部１０４の出力は液晶駆動部１３を介して液晶表示パネル１４に映像を表示する。また、映像表示装置１０は、映像調整部において、例えばコントラスト強調処理やガンマ変換処理が施された映像信号を入力されるようにしてもよい。なお、１フルピクセルを構成するサブピクセル（例えばＲＧＢ）毎にそれぞれ個別に処理することが望ましい。以下の説明では、１サブピクセルのみを例として説明する。
フレームメモリ部１０３は、メモリコントローラを含み、入力される映像信号を格納し、少なくとも１フレーム遅延させて第一補正量算出部１０１へと出力する。１フレームとは、例えば６０Ｈｚのプログレッシブ入力の場合は１６．７ｍｓｅｃであるが、これに限ったものではなく、１フレームの映像信号を２つ以上のフィールドに分割して表示するものであってもよい。本実施形態では、１フレームを分割して表示した際の１フィールドについても、１フレームと表記する。フレームメモリ部１０３に格納する映像信号は、全画素分の映像信号レベルを格納することが望ましいが、映像信号レベルは下位ビットを削除する等、圧縮された信号データであってもよい。なお、本実施形態において、映像信号レベルは、ＲＧＢ毎の液晶パネルに印加する駆動電圧であってもよいし、駆動電圧に変換する前の映像信号の階調値であってもよい。
【００１１】
第一補正量算出部１０１は、現フレームの映像信号レベルと、フレームメモリ部１０３から読み出した少なくとも１フレーム前の映像信号レベルとに応じて、着目画素毎に第一補正量と判定フラグとを決定して出力する。
第一補正量は、ある条件下において、予め決定したオーバードライブ補正量のことである。ある条件下とは、例えば、液晶表示パネル１４の温度条件のことである。第一補正量が決定された際の温度を基準温度と呼ぶ。また基準温度で決定されたオーバードライブ補正量を基準オーバードライブ補正量と呼ぶ。
液晶表示パネル１４は、印加する駆動電圧の変化に対して液晶応答速度が十分に早くなく、液晶応答速度や遷移波形は映像信号レベルのフレーム間の遷移によってばらつきがある。また、液晶表示パネル１４によって個体差があるため、ＲＧＢ色毎に異なる場合もある。更に、液晶応答速度は温度依存性が大きく、液晶表示パネル１４の温度が高いほど早く、また低いほど遅くなる傾向がある。
【００１２】
オーバードライブ補正処理とは、フレーム間での映像信号レベル遷移を強調、又は抑制するように補正することによって、液晶表示パネル１４に印加する駆動電圧を増減し、所望とする液晶表示パネル１４の応答時間を得る処理のことを示す。フレーム間での強調量や抑制量がオーバードライブ補正量である。映像表示装置１０は、オーバードライブ補正量を現フレームの映像信号レベルに加算することでオーバードライブ補正処理を実現する。オーバードライブ補正量は、現フレームの映像信号レベルと、１フレーム前の映像信号レベルとの組み合わせによって予め決定するものである。なお、応答時間を早くするように強調するオーバードライブ補正処理のことを加速駆動と呼ぶ。また、応答時間を遅くするように抑制するオーバードライブ補正処理のことを減速駆動と呼ぶ。即ち、加速駆動は、映像表示装置１０に入力された複数のフレームのうち、現フレームと、現フレームより少なくとも１フレーム前である前フレームとの映像信号レベルの差が大きくなるように現フレームの映像信号レベルを補正する処理である。また、減速駆動は、映像表示装置１０に入力された複数のフレームのうち、現フレームと、現フレームより少なくとも１フレーム前である前フレームとの映像信号レベルの差が小さくなるように現フレームの映像信号レベルを補正する処理である。
【００１３】
図３は、第一補正量算出部１０１におけるＬＵＴの一例を示す図である。図３（ａ）は、実施形態１における第一補正量を示し、また図３（ｂ）は、実施形態１における判定フラグを示す。図３（ａ）、図３（ｂ）共に、現フレームの映像信号レベル（０〜２５５）と、１フレーム前の映像信号レベル（０〜２５５）とをそれぞれ８区分に分割し、その組み合わせによって第一補正量と判定フラグとが対応付けられている。第一補正量は、基準オーバードライブ補正量であり、基準温度において現フレームの映像信号レベルに加算する値（符号を含む）である。判定フラグは、１ビット情報であり、"０"の場合は加速駆動を示し、"１"の場合は減速駆動を示している。
例えば図３（ａ）の符号８０１で示す太枠内は、映像信号レベルがフレーム間で増加する遷移であり、液晶応答遷移は立ち上がり遷移である。一方で、第一補正量はマイナス値であり、減速駆動を行っていることになる。このとき、符号８０１で示す遷移に対応する判定フラグは、図３（ｂ）の符号８０２で示す通り"１"である。一般的にフレーム間で印加する駆動電圧差が大きいほど、液晶応答速度は早い傾向がある。図３（ａ）で示す第一補正量はフレーム間の映像信号レベル差が大きい場合は減速し、フレーム間の映像信号レベル差が小さい場合や中間階調で遷移する場合は加速する例である。これにより、第一補正量算出部１０１は、各遷移の応答速度を概一致させ、ＲＧＢ色毎や遷移毎の実効輝度を揃えるようなオーバードライブ補正処理を実現している。なお、図３で示すＬＵＴは映像信号レベルをそれぞれ８区分に分割しているが、これに限らない。但し、８ビットの入力信号に対しては８区分以上の分割数を有することが望ましい。例えば、第一補正量算出部１０１は、分割数を、隣接する分割区分間で補正量差による補正ばらつきが表示画像から視認されないよう決定すればよい。
【００１４】
第二補正量算出部１０２は、第一補正量と判定フラグに応じて、第二補正量を算出する。図４は、実施形態１における第二補正量算出部１０２の一例を示す図である。第二補正量算出部１０２において、係数群２０２は少なくとも２つの係数（係数Ａ、係数Ｂ）を有している。係数選択部２０１は、判定フラグ＝"１"（減速駆動）の場合は係数Ａを選択し、また判定フラグ＝"０"（加速駆動）の場合は係数Ｂを選択する。係数群２０２には、基準オーバードライブ補正量を決定した際の条件と、実際に液晶表示パネル１４を駆動している時点での条件とが異なる場合に、条件差を補正するための係数値が記憶されている。例えば、係数群２０２には、液晶表示パネル１４の温度が基準温度から変化した際に、その温度に応じたオーバードライブ補正量の増減度合が記憶されている。例えば、第二補正量算出部１０２は、サーミスタ等の温度センサからの情報をマイコンで取得し、温度情報と液晶表示パネル１４毎の応答特性とから増減度合を算出してもよい。また、例えば、第二補正量算出部１０２は、予め温度毎に取得しておいた最適量と基準オーバードライブ補正量との差分から近似する等して算出してもよい。温度センサは映像表示装置１０内で液晶表示パネル１４の周辺の温度情報を取得するとよい。例えば、第二補正量算出部１０２は、基準温度に対して、５℃程度温度が低くなった場合、液晶応答速度を早めるために、加速駆動の場合は、基準オーバードライブ補正量を６０％増加するとする。同様に、例えば、第二補正量算出部１０２は、液晶応答速度を早めるために、減速駆動の場合は、基準オーバードライブ補正量を６０％減少する。このとき、係数Ａ＝"０．４"、係数Ｂ＝"１．６"が設定される。乗算部２０３において、第一補正量と係数選択部２０１で選択された係数とが乗算され、第二補正量算出部１０２から第二補正量として出力される。
第二補正量は加算部１０４にて現フレームの映像信号レベルに加算される。加算部１０４は飽和検出部を有しており、飽和検出部において、加算後の映像信号レベルが出力信号レベルのダイナミックレンジ内におさまるようクリップ処理が施される。
【００１５】
図５は、映像信号レベルと液晶応答遷移とを模式的に示した図であり、図５（ａ）から（ｈ）まで、それぞれ横軸は時間を示し、縦軸は映像信号レベル、又は液晶応答レベルを示す。ここで示す液晶応答レベルは、液晶信号レベルに応じて時間的に遷移する液晶応答レベルを示しており、表示画像における輝度値として捉えればよい。
図５（ａ）は加速駆動時の映像信号レベルを示している。図５（ａ）における実線９０１は、オーバードライブ補正処理を行わない場合の映像信号レベルを示す。図５（ｂ）における実線９０３は、実線９０１に対応した液晶応答レベルである。また、図５（ａ）における斜線９０２は、基準オーバードライブ補正量を示す。図５（ｂ）における破線９０４は、斜線９０２で示す基準オーバードライブ補正量を適用した場合の液晶応答レベルである。破線９０４で示すように加速駆動によって液晶応答速度が早くなり、一定期間（Ｔ１）経過時に凡そ液晶応答レベルが目標レベルに到達することができていることがわかる。
図５（ｃ）は減速駆動時の映像信号レベルを示している。図５（ｃ）における実線９０５は、オーバードライブ補正処理を行わない場合の映像信号レベルを示す。図５（ｄ）における実線９０７は、実線９０５に対応した液晶応答レベルである。また、図５（ｃ）における斜線９０６は、基準オーバードライブ補正量（マイナス値）を示す。図５（ｄ）における破線９０８は、斜線９０６で示す基準オーバードライブ補正量を適用した場合の液晶応答レベルである。実線９０７は液晶応答レベル一定期間（Ｔ１）よりも早く目標レベルに到達しているが、破線９０８で示すように減速駆動によって一定期間（Ｔ１）経過時に凡そ液晶応答レベルが目標レベルに到達することができていることがわかる。
【００１６】
一方、図５（ｅ）、図５（ｆ）は、それぞれ図５（ａ）、図５（ｂ）に対して液晶表示パネル１４の温度が低下した場合を示している。図５（ｆ）の実線９１０で示すように、温度低下によって液晶応答速度が実線９０３と比較をして遅くなっている。このとき、加速駆動であるので、例えば係数Ｂ＝"１．６"が選択され、斜線９０２に対して増加した第二補正量（斜線９０９）が映像信号レベルに加算される。この結果、破線９１１で示すように液晶応答速度が早くなり、一定期間（Ｔ１）経過時に凡そ液晶応答レベルが目標レベルに到達することができていることがわかる。
一方、図５（ｇ）、図５（ｈ）は、それぞれ図５（ｃ）、図５（ｄ）に対して液晶表示パネル１４の温度が低下した場合を示している。
図５（ｈ）の実線９１３で示すように、温度低下によって液晶応答速度が実線９０７と比較をして遅くなっており、実線９０７よりも一定期間（Ｔ１）に近い応答速度となっている。ここでは、減速駆動であるので、例えば係数Ａ＝"０．４"が選択され、斜線９０６に対して減少した第二補正量（斜線９１２）が映像信号レベルに加算される。この結果、破線９１４で示すように液晶応答速度が更に遅くなり、一定期間（Ｔ１）経過時に凡そ液晶応答レベルが目標レベルに到達することができていることがわかる。
液晶応答速度の温度依存性を吸収するために基準オーバードライブ補正量を調整する場合、加速駆動か減速駆動かによって、増減方向が異なる。以上の説明で示したように、加速駆動か減速駆動かの判定結果に応じて基準オーバードライブ補正量の調整量を変更する構成をもつことによって、液晶表示パネル１４の温度毎に液晶応答速度を適した状態に制御し、表示画像の画質を向上させることが可能となる。
【００１７】
図６は、実施形態１における情報処理の一部を示したフローチャートである。
ＣＰＵ１１は、画素毎に映像信号の入力を受ける（ステップＳ３０１）。ＣＰＵ１１は、現フレームと１フレーム前の映像信号レベルとの組み合わせに応じて、着目画素毎に第一補正量と判定フラグとを決定する（ステップＳ３０２、ステップＳ３０３）。ＣＰＵ１１は、判定フラグを参照し、加速駆動か減速駆動かを判定する（ステップＳ３０４）。ＣＰＵ１１は、減速駆動である場合（ステップＳ３０４においてＹＥＳ）、係数Ａを選択する（ステップＳ３０５）。一方、ＣＰＵ１１は、減速駆動ではない場合（ステップＳ３０４においてＮＯ）、係数Ｂを選択する（ステップＳ３０６）。ＣＰＵ１１は、選択した係数に応じて第一補正量を調整した第二補正量を算出する（ステップＳ３０７）。ＣＰＵ１１は、第二補正量に応じて現フレームの映像信号レベルを調整する（ステップＳ３０８）。ＣＰＵ１１は、以上の情報処理を画素毎に繰り替えして行う。
【００１８】
以上、本実施形態によれば、加速駆動か減速駆動かの判定結果に応じて基準オーバードライブ補正量の調整量を変更することができる。これによって、液晶応答速度の温度依存性を軽減し、減速駆動を含むオーバードライブ補正処理において、液晶応答速度を適した状態に制御し、表示画像の画質を向上させることが可能となる。
【００１９】
＜実施形態２＞
実施形態２は、実施形態１と加速駆動か減速駆動かの判定方法が異なる。図７は、実施形態２の映像表示装置１０の機能構成等の一例を示す図である。実施形態１と重複する機能については同一符号を付し、説明を省略する。
第一補正量算出部４０１は、現フレームの映像信号レベルと、フレームメモリ部１０３から読み出した少なくとも１フレーム前の映像信号レベルとに応じて、着目画素毎に第一補正量のみを決定して出力する。第一補正量は実施形態１と同じであるため、説明を省略するが、例えば図３（ａ）に示す通りである。差分取得部４０３は、現フレームの映像信号レベルから１フレーム前の映像信号レベルを減算した値（差分値）を取得し、少なくとも差分値の符号情報のみ（１ビット）を第二補正量算出部４０２へと出力する。差分取得部４０３が出力する符号情報は、現フレームが１フレーム前の映像信号レベルよりも小さい場合は、"１"を示し、それ以外は"０"を示すものとする等すればよい。
【００２０】
図８は、実施形態２における第二補正量算出部４０２の一例を示す図である。図８において実施形態１と重複する機能については同一符号を付し、説明を省略する。
係数選択部５０１は、差分値の符号情報と第一補正量の符号情報とから、加速駆動か減速駆動かを判定し、判定結果に応じて係数群５０２から係数を選択して、乗算部２０３に出力する。係数選択部５０１は、差分値の符号情報がプラスの場合は、液晶応答遷移は立ち上がり遷移であり、第一補正量の符号情報がプラスの場合は、加速駆動と判断でき、また、第一補正量の符号情報がマイナスの場合は、減速駆動と判断できる。一方、係数選択部５０１は、差分値の符号情報がマイナスの場合は、液晶応答遷移は立ち下がり遷移であり、第一補正量の符号情報がマイナスの場合は、加速駆動と判断でき、また、第一補正量の符号情報がプラスの場合は、減速駆動と判断できる。以上のように、係数選択部５０１は、第一補正量の符号情報と、差分値の符号情報とから、加速駆動か減速駆動かを判定し、それに応じた係数を選択する。
【００２１】
図９は、実施形態２における情報処理の一例を示したフローチャートである。実施形態２では、ＣＰＵ１１は、加速駆動か減速駆動かの判定に加えて、液晶応答遷移が立ち上がりか立ち下がりかを判定し、それらに応じて係数を選択している。液晶応答時間は、印加する駆動電圧差が同じであっても増加するか減少するかによって異なる場合があり、立ち上がりか立ち下がりかを判定することで、温度に応じたオーバードライブ補正量の増減度合の算出精度をより高く行うことができる。
ＣＰＵ１１は、画素毎に映像信号の入力を受ける（ステップＳ６０１）。ＣＰＵ１１は、現フレームと１フレーム前の映像信号レベルとの組み合わせに応じて、着目画素毎に第一補正量を決定する（ステップＳ６０２）。ＣＰＵ１１は、現フレームの映像信号レベルから１フレーム前の映像信号レベルを減算した値（差分値）を取得する（ステップＳ６０３）。そして、ＣＰＵ１１は、差分値の符号情報と第一補正量の符号情報とから係数を選択する（ステップＳ６０４）。
【００２２】
ＣＰＵ１１は、差分値の符号情報がプラス、かつ、第一補正量の符号情報がプラスの場合は、加速駆動で、かつ、立ち上がり遷移に対応した係数Ｃを選択する（ステップＳ６０５）。ＣＰＵ１１は、差分値の符号情報がプラス、かつ、第一補正量の符号情報がマイナスの場合は、減速駆動で、かつ、立ち上がり遷移に対応した係数Ｄを選択する（ステップＳ６０６）。ＣＰＵ１１は、差分値の符号情報がマイナス、かつ、第一補正量の符号情報がマイナスの場合は、加速駆動で、かつ、立ち下がり遷移に対応した係数Ｅを選択する（ステップＳ６０７）。ＣＰＵ１１は、差分値の符号情報がマイナス、かつ、第一補正量の符号情報がプラスの場合は、減速駆動で、かつ、立ち下がり遷移に対応した係数Ｆを選択する（ステップＳ６０８）。ＣＰＵ１１は、選択した係数に応じて第一補正量を調整した第二補正量を算出する（ステップＳ６０９）。ＣＰＵ１１は、第二補正量に応じて現フレームの映像信号レベルを調整する（ステップＳ６１０）。ＣＰＵ１１は、以上の情報処理を画素毎に繰り替えして行う。
【００２３】
例えば、基準温度に対して、５℃程度温度が低くなった場合、液晶応答速度を早めるために、加速駆動の場合は、基準オーバードライブ補正量を６０％増加するとする。同様に液晶応答速度を早めるために、減速駆動の場合は、基準オーバードライブ補正量を６０％減少するとする。このとき、ＣＰＵ１１は、係数Ｃ＝係数Ｅ＝"１．６"、係数Ｄ＝係数Ｆ＝"０．４"を設定する。なお、液晶応答遷移の立ち上がりと立ち下がりとで応答速度差を考慮した係数設定を行ってもよい。例えば、液晶応答遷移の立ち下がりが立ち上がりに対して早い傾向が有る場合、ＣＰＵ１１は、係数Ｃ＝ "１．６"、係数Ｄ＝"０．４"に対して、係数Ｅ＝"１．４"、係数Ｆ＝"０．６"とする等と設定すればよい。
【００２４】
以上、本実施形態によれば、加速駆動か減速駆動かの判定結果に応じて基準オーバードライブ補正量の調整量を変更することができる。これによって、液晶応答速度の温度依存性を軽減し、減速駆動を含むオーバードライブ補正処理において、液晶応答速度を適した状態に制御し、表示画像の画質を向上させることが可能となる。また加速駆動か減速駆動かの判定方法として、現フレームと１フレーム前のフレームとの映像信号レベルの差分値、及び第一補正量の符号情報を使用している。これによって、実施形態１と比較をして、判定フラグを決定する際のＬＵＴが不要となり、ＬＵＴ規模の低減が可能となる。
また、加速駆動か減速駆動かの判定に加えて、更に液晶応答遷移が立ち上がりか立ち下がりかを判定し、判定結果に応じて基準オーバードライブ補正量の調整量を変更することができる。これにより印可する駆動電圧が増加するか減少するかによって異なる液晶応答時間に対しても、より良く調整することが可能となる。
【００２５】
＜実施形態３＞
実施形態３は、前述の実施形態と比較をして、第一補正量、及び第二補正量算出部の機能が異なるが、本実施形態における映像表示装置１０の機能構成等は第２の実施形態で示した図７と同じであり、重複機能については説明を省略する。
図１０は、実施形態３における第二補正量算出部４０２の一例を示す図である。第二補正量算出部４０２には、差分値の符号情報と第一補正量の符号情報とが入力される。図３（ｃ）は、実施形態３における第一補正量を示す。実施形態３における第一補正量は、加速駆動の場合はプラス値、減速駆動の場合はマイナス値とする。係数選択部７０１は、第一補正量の符号情報によって、加速駆動か減速駆動かを判定し、それに応じた係数を係数群７０２から選択して乗算部７０３へ出力する。乗算部７０３は、第一補正量と係数選択部７０１で選択された係数とを乗算する。乗算部７０３での乗算結果は、加速駆動か減速駆動に応じて符号を有しているが、現フレームの映像信号レベルに対する加算量とは異なる。よって、乗算部７０４は、乗算部７０３での乗算結果に対して差分値の符号情報を付加する。より具体的には、乗算部７０４は、差分値の符号情報がマイナスの場合は、液晶応答遷移は立ち下がり遷移であるので、乗算部７０３での乗算結果に対して"−１"を乗算する（乗算部７０３での乗算結果に対して符号を変える）。また、乗算部７０４は、差分値の符号情報がプラスの場合は、液晶応答遷移は立ち上がり遷移であるので、乗算部７０３での乗算結果に対して"１"を乗算する（乗算部７０３での乗算結果をそのまま出力）。
図１０に示すように、係数選択部７０１は、第一補正量の符号情報を参照することで加速駆動か減速駆動かの判定が可能となる。また、係数選択部７０１は、差分値の符号情報を参照することで、液晶応答遷移が立ち上がりか立ち下がりかを判定することも可能となる。
【００２６】
図１１は、実施形態３における情報処理の一例を示したフローチャートである。
ＣＰＵ１１は、画素毎に映像信号の入力を受ける（ステップＳ１００１）。ＣＰＵ１１は、現フレームと１フレーム前の映像信号レベルとの組み合わせに応じて、着目画素毎に第一補正量を決定する（ステップＳ１００２）。ＣＰＵ１１は、第一補正量を、加速駆動の場合はプラス値、減速駆動の場合はマイナス値とする。ＣＰＵ１１は、現フレームの映像信号レベルから１フレーム前の映像信号レベルを減算した値（差分値）を取得する（ステップＳ１００３）。そして、ＣＰＵ１１は、差分値の符号情報と第一補正量の符号情報とから係数を選択する（ステップＳ１００４）。ＣＰＵ１１は、差分値の符号情報がプラス、かつ、第一補正量の符号情報がプラスの場合は、加速駆動で、かつ、立ち上がり遷移に対応した係数Ｃを選択する（ステップＳ１００５）。ＣＰＵ１１は、差分値の符号情報がプラス、かつ、第一補正量の符号情報がマイナスの場合は、減速駆動で、かつ、立ち上がり遷移に対応した係数Ｄを選択する（ステップＳ１００６）。ＣＰＵ１１は、差分値の符号情報がマイナス、かつ、第一補正量の符号情報がマイナスの場合は、減速駆動で、かつ、立ち下がり遷移に対応した係数Ｆを選択する（ステップＳ１００７）。ＣＰＵ１１は、差分値の符号情報がマイナス、かつ、第一補正量の符号情報がプラスの場合は、加速駆動で、かつ、立ち下がり遷移に対応した係数Ｅを選択する（ステップＳ１００８）。ＣＰＵ１１は、選択した係数、及び差分値の符号情報に応じて第一補正量を調整した第二補正量を算出する（ステップＳ１００９）。ＣＰＵ１１は、第二補正量に応じて現フレームの映像信号レベルを調整する（ステップＳ１０１０）。ＣＰＵ１１は、以上の情報処理を画素毎に繰り替えして行う。
【００２７】
以上、本実施形態によれば、加速駆動か減速駆動かの判定結果に応じて基準オーバードライブ補正量の調整量を変更することができる。これによって、液晶応答速度の温度依存性を軽減し、減速駆動を含むオーバードライブ補正処理において、液晶応答速度を適した状態に制御し、表示画像の画質を向上させることが可能となる。また加速駆動か減速駆動かの判定方法として、現フレームと１フレーム前の映像信号レベルの差分値、及び第一補正量の符号情報を使用している。これによって、実施形態１と比較をして、判定フラグを決定する際のＬＵＴが不要となり、ＬＵＴ規模の低減が可能となる。
また、加速駆動か減速駆動かの判定に加えて、更に液晶応答遷移が立ち上がりか立ち下がりかを判定し、判定結果に応じて基準オーバードライブ補正量の調整量を変更することができる。これにより印可する駆動電圧が増加するか減少するかによって異なる液晶応答時間に対しても、より良く調整することが可能となる。
【００２８】
＜実施形態４＞
前述の実施形態では、加速駆動か減速駆動かの判定結果に応じて係数を選択する構成であった。実施形態４では、同一の係数から加速駆動で適用する係数と減速駆動で適用する係数とを算出式に基づいて決定する処理を説明する。なお、前述の実施形態における係数選択部のみが以下に述べる算出式に置き換わるものであって、加速駆動か減速駆動かの判定方法や係数を決定した後の処理等は、前述の実施形態の何れの処理を適用してもよい。
【００２９】
液晶表示パネル１４の温度毎に係数群に設定される係数をＣＯＥＦとする。また、加速駆動で適用する係数をＣＯＥＦ＿Ａとする。また、減速駆動で適用する係数をＣＯＥＦ＿Ｂとする。すると、例えばそれぞれ以下の算出式により決定される。なお、ＣＯＥＦの値域は−４．０≦ＣＯＥＦ≦４．０とし、デフォルト値（液晶表示パネル１４の温度が基準温度の場合の設定値）は、１．０とする。
ＣＯＥＦ＿Ａ  ＝  ＣＯＥＦ                ・・・（式１）
ＣＯＥＦ＿Ｂ  ＝  ２．０  −  ＣＯＥＦ    ・・・（式２）
ＣＰＵ１１は、式１、式２を用いることで、基準オーバードライブ補正量を加速駆動と減速駆動とで同じ割合で調整することが可能となり、更に温度影響に対して逆方向に補正されることなく調整することが可能である。
例えば液晶表示パネル１４の温度が基準温度の場合、ＣＯＥＦ＝１．０とすると、ＣＯＥＦ＿Ａ＝１．０、ＣＯＥＦ＿Ｂ＝１．０となり、基準オーバードライブ補正量が第二補正量として適用される。実施形態３の場合、第二補正量は第一補正量の符号が付加されるが、本実施形態では特に述べない。
また、例えば液晶表示パネル１４の温度が基準温度よりも低い場合、ＣＯＥＦ＝１．６とすると、ＣＯＥＦ＿Ａ＝１．６、ＣＯＥＦ＿Ｂ＝０．４となり、加速駆動の場合は液晶応答速度を早めるためにより加速され、また減速駆動の場合は減速する度合を抑制する。
また、例えば液晶表示パネル１４の温度が基準温度よりも更に低くなった場合、ＣＯＥＦ＝３．０とすると、ＣＯＥＦ＿Ａ＝３．０、ＣＯＥＦ＿Ｂ＝−１．０となり、加速駆動の場合は液晶応答速度をより早めるためにより加速される。一方、減速駆動の場合、ＣＰＵ１１は、温度が低くなった影響で、所定の一定期間（例えば、図５に示すＴ１）よりも液晶応答速度が遅くなったと判断し、適用する係数値としてはマイナス値をとり、加速駆動を行う。
【００３０】
以上、本実施形態によれば、加速駆動か減速駆動かの判定結果に応じて基準オーバードライブ補正量の調整量を同一の係数を用いて変更することができる。これによって、液晶応答速度の温度依存性を軽減し、減速駆動を含むオーバードライブ補正処理において、液晶応答速度を適した状態に制御し、表示画像の画質を向上させることが可能となる。
【００３１】
＜その他の実施形態＞
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００３２】
以上、本発明の好ましい実施形態について詳述したが、本発明は係る特定の実施形態に限定されるものではない。
上述した実施形態では映像表示デバイスの例として液晶表示パネル１４を用いて説明したが、映像表示デバイスの応答特性を補償するものであれば何であってもよい。また、基準オーバードライブ補正量を求める際の条件として液晶パネルの温度を挙げているが、これに限らず、例えば液晶表示パネル１４の駆動周波数情報を用いることもできる。この場合、ＣＰＵ１１は、駆動時のフレーム期間に応じて調整するとよく、例えば１２０Ｈｚから６０Ｈｚまでに駆動周波数を変更した場合、加速駆動においては加速する度合を抑制し、減速駆動の場合は減速する度合を抑制するとよい。
また、何れの実施形態においても係数を第一補正量に乗算する構成としたが、係数を加減算する構成であってもよい。
また、基準オーバードライブ補正量は単一として説明したが、映像表示装置１０が複数の基準オーバードライブ補正量を有し、ＣＰＵ１１が何れかを選択して適用するようにしてもよい。例えば、映像表示装置１０は液晶表示パネル１４の温度について、代表的な３つの温度状態（高温、中温、低温）に対してそれぞれ基準オーバードライブ補正量を有し、ＣＰＵ１１が温度変化に対して切り替えて適用する。ＣＰＵ１１は、３つの温度状態に対する細かい温度変化は、前述の実施形態で説明した構成を適用し、調整する。
また、前述の実施形態では全画素に対して共通の係数群を適用しているが、ＣＰＵ１１は、液晶パネルの位置毎の温度差を考慮し、例えば画面内領域に応じて異なる係数群を適用してもよい。この場合、ＣＰＵ１１は、加速駆動か減速駆動か、又は／及び液晶応答遷移が立ち上がり遷移か立ち下がり遷移かによって近傍領域の係数を選択し、着目画素の面内の位置に応じて、各係数を加重平均した値を適用するとよい。
また、上述した実施形態では、ＣＰＵ１１がメモリ１２に記憶されたプログラムに基づき処理を実行することにより、映像表示装置１０の機能構成等が実現されるとしたが、上述した機能構成をハードウェア構成として映像表示装置１０に実装してもよい。
【００３３】
上述した各実施形態によれば、減速駆動を含むオーバードライブ補正処理において、液晶表示パネルの温度に応じて液晶応答速度を適した状態に制御し、表示画像の画質を向上させることができる。
【符号の説明】
【００３４】
１０  映像表示装置
１１  ＣＰＵ
１４  液晶表示パネル
【図１】
2017062416.tif 000003
【図２】
2017062416.tif 000004
【図３】
2017062416.tif 000005
【図４】
2017062416.tif 000006
【図５】
2017062416.tif 000007
【図６】
2017062416.tif 000008
【図７】
2017062416.tif 000009
【図８】
2017062416.tif 000010
【図９】
2017062416.tif 000011
【図１０】
2017062416.tif 000012
【図１１】
2017062416.tif 000013